(57)【特許請求の範囲】
【請求項１】
基布にパイル糸がタフトされてなり、全部又は一部のパイル形状がカットパイルである、レンタル用マットにおいて、
パイル糸が、１本の予め撚られたＢＣＦナイロンパイル糸と、１本以上のナイロンモノフィラメント単糸と、からなり、
ＢＣＦナイロンパイル糸とナイロンモノフィラメント単糸とが、撚り合わされた状態の１本のパイル糸としてタフトされており且つマット表面においてはカットパイルの部分において撚り合わされた状態から各々分離して独立しており、
ＢＣＦナイロンパイル糸が、上記予め撚られた状態を、維持していることを特徴とするレンタル用マット。
【発明の詳細な説明】
【０００１】
【発明の属する技術分野】
本発明は、基布にパイル糸がタフトされてなり、全部又は一部のパイル形状がカットパイルである、レンタル用マットに関するものである。
【０００２】
【従来技術及びその課題】
基布にパイル糸がタフトされてなり、全部又は一部のパイル形状がカットパイルである、従来のレンタル用マットは、屋外用と屋内用に大きく分けられる。屋外用マットは、比較的粒度の大きなダストを多量に除去したり凹凸のある靴底から効率良くダストを除去したりするために、ブラッシング力が要望されるので、太いナイロンモノフィラメント単糸からなるナイロンモノフィラメントパイル糸を用いて構成されている。人工芝が代表例である。屋内用マットは、水分やダストの高保持性が要望されるため、細いＢＣＦナイロン単糸からなるＢＣＦナイロンパイル糸を用いて構成されている。図４は従来の屋内用マットの縦断面部分図である。パイル糸１はＢＣＦナイロンパイル糸である。パイル糸１は、基布２にタフトされ且つ非パイル面において必要に応じてラテックス４等の接着剤により固定された状態で、ゴムシート３に固着されている。これは一体化タイプと称する。パイル糸１の全部又は一部はカットパイルの形状を有している。図４では、カットパイルのみを示している。
【０００３】
一般に、ＢＣＦナイロンパイル糸は、２〜４本のＢＣＦナイロンプライ糸を撚り合わせて構成されており、最も一般的に使用される１本のＢＣＦナイロンプライ糸は６８本のＢＣＦナイロン単糸からなっており、多用される１本のＢＣＦナイロン単糸の大きさは約２０デニールである。一方、ナイロンモノフィラメントパイル糸は、数本〜１０本のナイロンモノフィラメント単糸を撚り合わせて構成されており、１本のナイロンモノフィラメント単糸の大きさは約２００〜５００デニールである。一般には、ＢＣＦナイロン単糸の大きさは５〜８０デニールであり、ナイロンモノフィラメント単糸の大きさは１００〜１０００デニールである。
【０００４】
ところで、屋外用マット及び屋内用マットには、それぞれ次のような長所・短所があった。即ち、屋外用マットでは、１本１本のナイロンモノフィラメントパイル糸が固くて直立しているため、ブラッシング力が大きく、それ故、ダスト除去効果が大きかった。しかしながら、生産される着色パイル糸に色柄の変化を与える自由度が小さく、触感も趣向のない定まったものとなり、需要者の嗜好に十分答えることが困難であった。また、マットにおいて明確な色柄を出そうとすると、ナイロンモノフィラメント単糸１本が太いためにナイロンモノフィラメントパイル糸１本の比表面積が小さいので、単位面積当たりに使用するパイル糸の重量を増やさざるを得ず、コスト高となっていた。
【０００５】
一方、屋内用マットでは、水分やダストの保持性能が優れており、また、ナイロンモノフィラメントパイル糸とは異なってＢＣＦナイロンパイル糸によればマットに色の変化を与える自由度が大きいために需要者の嗜好に十分答えることが可能であった。しかしながら、ＢＣＦナイロンパイル糸が柔らかいものであるために、カットされて表出している切断端面がプライ糸同士に別れて開きやすいので、ブラッシング機能を高めることが困難であり、ダスト除去効果が小さかった。
【０００６】
そこで、両者の短所を補いながら長所を生かすことができるマット、更には、屋外と屋内との中間における使用に適したマットが要望されるようになった。本発明は、そのようなマットを提供することを目的としている。
【０００７】
【課題を解決するための手段】
上記目的を達成するために、請求項１記載の発明は、基布にパイル糸がタフトされてなり、全部又は一部のパイル形状がカットパイルである、レンタル用マットにおいて、パイル糸が、１本の予め撚られたＢＣＦナイロンパイル糸と、１本以上のナイロンモノフィラメント単糸と、からなり、ＢＣＦナイロンパイル糸とナイロンモノフィラメント単糸とが、撚り合わされた状態の１本のパイル糸としてタフトされており且つマット表面においてはカットパイルの部分において撚り合わされた状態から各々分離して独立しており、ＢＣＦナイロンパイル糸が、上記予め撚られた状態を、維持していることを特徴としている。
【０００８】
【発明の実施の形態】
図１は本発明のレンタル用マットの縦断面部分図である。図において、図４と同一符号は同じ又は相当するものを示す。このマットでは、ＢＣＦナイロンパイル糸１とナイロンモノフィラメント単糸５とがタフトされている。両者は、撚り合わされた状態の１本のパイル糸としてタフトされているが、マット表面においてはカットパイルの部分においてＢＣＦナイロンパイル糸１とナイロンモノフィラメント単糸５とが撚り合わされた状態から各々分離して独立している。そして、ナイロンモノフィラメント単糸５は、その剛性に基づいて、捩られていた状態から伸びて直線状になっているので、その高さＨはＢＣＦナイロンパイル糸１の高さｈよりも高くなっている。
【０００９】
上記構成のマットは、次のように製造する。まず、ＢＣＦナイロン単糸を下撚りしてＢＣＦナイロンプライ糸を作製し、２本のＢＣＦナイロンプライ糸を下撚りとは反対方向に上撚りしてＢＣＦナイロンパイル糸１を作製する。次に、１本のＢＣＦナイロンパイル糸１と４本のナイロンモノフィラメント単糸５とを撚り合わせ、１２０〜１３０℃で１〜２分間湿熱で熱セットして、１本のパイル糸１ａを作製する。次に、パイル糸１ａをタフト機により基布２にタフティングし、その全部又は一部をカットパイルとした後、基布２の非パイル面において必要に応じてラテックス４等の接着剤によりパイル糸１ａを固定する。そして、基布２にタフトされたパイル糸１ａを、ゴムシート３に固着する。図２は、タフティングされカットパイルとされた直後のマットにおけるパイル糸１ａを示す拡大部分図であり、パイル糸１ａは、１本のＢＣＦナイロンパイル糸１と４本のナイロンモノフィラメント単糸５とが撚り合わされた状態にある。しかし、ゴムシート３に固着した後に洗浄を行うことにより、ナイロンモノフィラメント単糸５が、図３に示すように、その剛性に基づいて、捩られていた状態から伸びて直線状になる。こうして、図１に示すレンタル用マットが得られる。
【００１０】
上記製造工程において、ナイロンモノフィラメント単糸５は、洗浄により、捩られていた状態から伸びて直線状になるので、タフティング直後においてナイロンモノフィラメント単糸５が有している解撚トルクはＢＣＦナイロンパイル糸１に影響しないままに解除される。それ故、ＢＣＦナイロンパイル糸１の切断端面が、ナイロンモノフィラメント単糸５の解撚トルクによって開かされることはない。従って、図１のレンタル用マットは、長期的に安定した外観を維持できることとなる。
【００１１】
上記構成のマットでは、マット表面において、ＢＣＦナイロンパイル糸１とナイロンモノフィラメント単糸５とが各々独立して存在しているので、ナイロンモノフィラメントパイル糸のみで構成された従来の屋外用マット及びＢＣＦナイロンパイル糸のみで構成された従来の屋内用マットの、両者の長所が備わり、両者の短所が相互に補われることとなる。即ち、従来の屋内用マットと同等の、水分やダストの保持性能を有し、しかも、ブラッシング力に優れたものとなり、従来の屋外用マットに比してブラッシング力は若干劣るが水分やダストの保持性能に優れたものとなり、それ故、屋外と屋内との中間で使用するマットとして適した性能が備わることとなる。また、従来の屋外用マットに比して、ＢＣＦナイロンパイル糸１により、マットに色の変化を与える自由度が大きくなり、需要者の嗜好に答え得るようになる。
【００１２】
しかも、マット表面においては、ＢＣＦナイロンパイル糸１で埋め尽くされた中からナイロンモノフィラメント単糸５が直線状に伸びてＢＣＦナイロンパイル糸１よりも突出しているので、それに基づく立体的意匠効果が発揮される。また、ナイロンモノフィラメント単糸５を無着色とすることにより、ＢＣＦナイロンパイル糸１による色柄を損なうことなくブラッシング機能のみが付加される。
【００１３】
更に、ナイロンモノフィラメント単糸５は、マット表面において、ＢＣＦナイロンパイル糸１より突出しており、両者間には段差ができているので、凹凸に富んだ靴底に対するブラッシング力が向上する。
【００１４】
なお、用いるナイロンモノフィラメント単糸５は、４本に限るものではなく、１本以上であればよい。ナイロンモノフィラメント単糸５の本数を制御することにより、ブラッシング力や意匠的効果を制御できる。
【００１５】
【実施例】
0003735437.tif 000002
【００１６】
0003735437.tif 000003
【００１７】
（試験）
上記の実施例及び比較例で得たマット原布を、それぞれ７０ｃｍ×８５ｃｍに切断し、厚さ２ｍｍの未加硫ＮＢＲゴムシートに載せ、１７０℃で１５分間、８ｋｇ／ｃｍ2の圧力で、プレスすることにより、接着加硫を行い、一体化マットを作製した。
これらのマットを、通行人数３０００人／日の場所に３日間敷設した後、通常のレンタル用マットの洗浄再生処理を行う。この洗浄再生処理を１回行ったものと２０回行ったものとについて、通行人の靴底に付着していたダスト量の測定を行い、ダスト持ち込み率を求めた。表１にその結果を示す。なお、ダスト持ち込み率は、マットを踏んだ後における、（靴底に残ったダスト量／マットに付着したダスト量）であり、ここでは１００人の平均を求めた。
【００１８】
【表１】
0003735437.tif 000004
【００１９】
表１から明らかなように、実施例即ち本発明品によれば、効率良く靴底の凹凸面をブラッシングでき、洗浄再生処理を繰り返し行ったものでも、機能が低下することなく使用できた。
【００２０】
【発明の効果】
請求項１記載の発明によれば、従来の屋内用マットと同等の、水分やダストの保持性能を有し、しかも、ブラッシング力に優れたものとなり、従来の屋外用マットに比してブラッシング力は若干劣るが水分やダストの保持性能に優れたものとなり、それ故、屋外と屋内との中間で使用するマットとして有効に使用することができる。
【００２１】
また、従来の屋外用マットに比して、ＢＣＦナイロンパイル糸により、マットに色の変化を与えて、需要者の嗜好に答えることができる。
【００２２】
しかも、ＢＣＦナイロンパイル糸で埋め尽くされた中からナイロンモノフィラメント単糸が直線状に伸びてＢＣＦナイロンパイル糸より突出していることに基づき、立体的意匠効果を発揮できる。
【００２３】
更に、マット表面において、ナイロンモノフィラメント単糸とＢＣＦナイロンパイル糸との間には段差ができているので、凹凸に富んだ靴底に対するブラッシング力を向上できる。
【図面の簡単な説明】
【図１】  本発明のレンタル用マットの縦断面部分図である。
【図２】  タフティングされカットパイルとされた直後のパイル糸を示す拡大部分図である。
【図３】  図２の状態のパイル糸を洗浄した後の状態のパイル糸を示す拡大部分図である。
【図４】  従来の屋内用のレンタル用マットの縦断面部分図である。
【符号の説明】
１  ＢＣＦナイロンパイル糸
１ａ  パイル糸
５  ナイロンモノフィラメント単糸
【図１】
0003735437.tif 000005
【図２】
0003735437.tif 000006
【図３】
0003735437.tif 000007
【図４】
0003735437.tif 000008